(57)【要約】【課題】  広告が挿入された電子メールを送信する場合における店舗側の労力負担を軽減すること。【解決手段】  店舗別電子メール内容受付け手段１４２と、店舗別会員属性情報記憶手段１４５と、広告情報記憶手段１４５と、送信先アドレス特定手段１４２と、電子メールに挿入される広告を決定する挿入広告決定手段１４２と、該決定された広告と前記店舗別電子メール内容受付け手段１４２にて受付けた電子メールの内容とを含む電子メールを作成する電子メール作成手段１４２と、該作成された電子メールを送信する電子メール送信手段１４２と、を備える。【選択図】  図９
2005182450.tif 000002
【特許請求の範囲】
【請求項１】
各店舗に設置されて当該店舗における会員に関する会員関連情報を管理する店舗内管理装置から当該店舗の会員に対して送信する電子メールの内容と当該店舗を個々に識別可能な店舗識別情報とを受付けるための店舗別電子メール内容受付け手段と、
前記店舗識別情報と当該店舗の各会員の電子メールアドレスとに対応付けて、当該会員に関する会員属性情報を店舗別に記憶するための店舗別会員属性情報記憶手段と、
広告依頼者から依頼された広告に関する広告情報と、当該広告が挿入される電子メールの受信者の属性に関する挿入条件とを対応付けて記憶するための広告情報記憶手段と、
前記店舗別会員属性情報記憶手段において、前記店舗別電子メール内容受付け手段にて受付けた店舗識別情報に対応付けて記憶されている各会員の電子メールアドレスを、前記店舗別電子メール内容受付け手段にて受付けた電子メールの内容を含む電子メールの送信先として特定する送信先アドレス特定手段と、
該送信先アドレス特定手段にて特定された電子メールアドレスに対して送信される電子メールに挿入される広告を、当該電子メールアドレスに対応付けて前記店舗別会員属性情報記憶手段に記憶されている会員属性情報と、前記広告情報記憶手段に記憶されている挿入条件とから決定する挿入広告決定手段と、
該挿入広告決定手段にて決定された広告と前記店舗別電子メール内容受付け手段にて受付けた電子メールの内容とを含む電子メールを作成する電子メール作成手段と、
該電子メール作成手段にて作成された電子メールを、前記挿入広告決定手段にて挿入される広告の決定に用いた電子メールアドレスに対して送信する電子メール送信手段と、
を備えることを特徴とする広告メール送信装置。
【請求項２】
前記店舗別会員属性情報記憶手段に記憶されている全ての電子メールアドレスに対して送信する電子メールの内容を受付けるための共通電子メール内容受付け手段を備え、
前記送信先アドレス特定手段は、前記店舗別会員属性情報記憶手段に記憶されている全ての電子メールアドレスを、前記共通電子メール内容受付け手段にて受付けた電子メールの内容を含む電子メールの送信先として特定し、
前記挿入広告決定手段は、前記共通電子メール内容受付け手段にて受付けた電子メールの内容を含む電子メールに挿入される広告を、当該電子メールアドレスに対応付けて前記店舗別会員属性情報記憶手段に記憶されている会員属性情報と、前記広告情報記憶手段に記憶されている挿入条件とから決定し、
前記電子メール作成手段は、前記挿入広告決定手段にて決定された広告と前記共通電子メール内容受付け手段にて受付けた電子メールの内容とを含む電子メールを作成することを特徴とする請求項１に記載の広告メール送信装置。
【請求項３】
前記電子メール作成手段において電子メールに挿入されることで前記電子メール送信手段から送信された広告の挿入回数を、各広告毎に集計するための広告回数集計手段と、
該広告回数集計手段にて集計された集計結果を、各広告の依頼者に対して送信する集計結果送信手段と、
を備えることを特徴とする請求項１または２に記載の広告メール送信装置。
【請求項４】
前記電子メール送信手段にて送信された電子メールに含まれる広告に対する会員からの応答を受信する応答受信手段と、
該応答受信手段により受信した会員からの応答に基づいて、前記電子メール送信手段にて送信された電子メールに含まれる広告に対する応答有りと判定する広告応答判定手段と、
該広告応答判定手段にて応答有りと判定された応答回数を、各広告毎に集計するための応答回数集計手段と、
該応答回数集計手段にて集計された応答回数を、各広告の依頼者に対して送信する応答回数送信手段と、
を備えることを特徴とする請求項１〜３のいずれかに記載の広告メール送信装置。
【請求項５】
複数のコンピュータ端末をデータ通信可能に接続するためのオープンコンピュータネットワークに接続された各店舗の会員の情報端末に対して、店舗から各会員に対して広告を含む電子メールを、前記オープンコンピュータネットワークに接続されたサーバコンピュータを用いて送信するための広告メール配信サービスの提供方法であって、
前記サーバコンピュータは、
各店舗に設置されて当該店舗における会員に関する会員関連情報を管理する店舗内管理装置から当該店舗の会員に対して送信する電子メールの内容と当該店舗を個々に識別可能な店舗識別情報とを受付けるための店舗別電子メール内容受付けステップと、
前記店舗識別情報と当該店舗の各会員の電子メールアドレスとに対応付けて、当該会員に関する会員属性情報を店舗別に記憶する店舗別会員属性情報記憶ステップと、
広告依頼者から依頼された広告に関する広告情報と、当該広告が挿入される電子メールの受信者の属性に関する挿入条件とを対応付けて記憶する広告情報記憶ステップと、
前記店舗別会員属性情報記憶ステップにおいて、前記店舗別電子メール内容受付けステップにて受付けた店舗識別情報に対応付けて記憶された各会員の電子メールアドレスを、前記店舗別電子メール内容受付けステップにて受付けた電子メールの内容を含む電子メールの送信先として特定する送信先アドレス特定ステップと、
該送信先アドレス特定ステップにて特定された電子メールアドレスに対して送信される電子メールに挿入される広告を、当該電子メールアドレスに対応付けて前記店舗別会員属性情報記憶ステップにおいて記憶された会員属性情報と、前記広告情報記憶ステップにて記憶された挿入条件とから決定する挿入広告決定ステップと、
該挿入広告決定ステップにて決定された広告と前記店舗別電子メール内容受付けステップにて受付けた電子メールの内容とを含む電子メールを作成する電子メール作成ステップと、
該電子メール作成ステップにて作成された電子メールを、前記挿入広告決定ステップにて挿入される広告の決定に用いた電子メールアドレスに対して送信する電子メール送信ステップと、
を含むことを特徴とする広告メール送信サービスの提供方法。
【請求項６】
前記店舗別会員属性情報記憶ステップにて記憶された全ての電子メールアドレスに対して送信する電子メールの内容を受付けるための共通電子メール内容受付けステップを含み、
前記送信先アドレス特定ステップにおいては、前記店舗別会員属性情報記憶ステップにて記憶された全ての電子メールアドレスを、前記共通電子メール内容受付けステップにて受付けた電子メールの内容を含む電子メールの送信先として特定し、
前記挿入広告決定ステップにおいては、前記共通電子メール内容受付けステップにて受付けた電子メールの内容を含む電子メールに挿入される広告を、当該電子メールアドレスに対応付けて前記店舗別会員属性情報記憶ステップにて記憶された会員属性情報と、前記広告情報記憶ステップにて記憶された挿入条件とから決定し、
前記電子メール作成ステップにおいては、前記挿入広告決定ステップにて決定された広告と前記共通電子メール内容受付けステップにて受付けた電子メールの内容とを含む電子メールを作成することを特徴とする請求項５に記載の広告メール送信サービスの提供方法。
【請求項７】
前記電子メール作成ステップにおいて電子メールに挿入されることで前記電子メール送信ステップにて送信された広告の挿入回数を、各広告毎に集計する広告回数集計ステップと、
該広告回数集計ステップにて集計された集計結果を、各広告の依頼者に対して送信する集計結果送信ステップと、
を含むことを特徴とする請求項５または６に記載の広告メール送信サービスの提供方法。
【請求項８】
前記電子メール送信ステップにて送信された電子メールに含まれる広告に対する会員からの応答を受信する応答受信ステップと、
該応答受信ステップにおいて受信した会員からの応答に基づいて、前記電子メール送信ステップにて送信された電子メールに含まれる広告に対する応答有りと判定する広告応答判定ステップと、
該広告応答判定ステップにて応答有りと判定された応答回数を、各広告毎に集計する応答回数集計ステップと、
該応答回数集計ステップにて集計された応答回数を、各広告の依頼者に対して送信する応答回数送信ステップと、
を含むことを特徴とする請求項５〜７のいずれかに記載の広告メール送信サービスの提供方法。
【発明の詳細な説明】
【技術分野】
【０００１】
本発明は、店舗が当該店舗の各会員に対して広告を含む電子メールを送信するための広告メール送信装置および広告メール配信サービスの提供方法に関する。
【背景技術】
【０００２】
従来、電子メールに広告を挿入して送信するための装置としては、電子メールを受信するメール受信者の属性に対応する広告を特定し、該特定した広告を各電子メールに挿入して送信するものがある。（例えば、特許文献１、特許文献２参照）。
【０００３】
【特許文献１】特開平１０−３２０３１４号公報（第５頁、第３図）
【特許文献２】特開２００２−３６６８４０号公報（第３頁、第１図）
【発明の開示】
【発明が解決しようとする課題】
【０００４】
近年、インターネットの急激な普及に伴って、各店舗にあっては、当該店舗の会員に対して、種々の情報、例えば特売や優待情報等を、迅速かつ安価にて会員に通知できることから電子メールを用いて実施することがなされており、これらの電子メールにメール受信者の属性に対応した広告を挿入して送信することは、広告のメールを単独にて受信した場合に比較して当該広告を閲覧する比率並びに広告効果を大幅に向上できる利点があるものの、これらメール受信者の属性に対応した広告が挿入された電子メールを送信する場合において、前記した特許文献１や特許文献２に示した装置を利用した場合には、各会員毎に電子メールを送信しなければならず、非常に多くの会員全てに電子メールを送信するとなると店舗側にとっては非常に大きな労力が必要となってしまうという問題があり、これら電子メールを送信する店舗側の負担が電子メールに広告を挿入して広告収入を得るビジネスにおける大きな障害となっていた。
【０００５】
本発明は、このような問題点に着目してなされたもので、店舗が会員に対して、メール受信者である会員の属性に対応した広告が挿入された電子メールを送信する場合において、電子メールを送信する店舗側に非常に大きな労力が必要となってしまうことのない、広告メール送信装置および広告メール送信サービスの提供方法を提供することを目的としている。
【課題を解決するための手段】
【０００６】
上記課題を解決するために、本発明の請求項１に記載の広告メール送信装置は、
各店舗に設置されて当該店舗における会員に関する会員関連情報を管理する店舗内管理装置から当該店舗の会員に対して送信する電子メールの内容と当該店舗を個々に識別可能な店舗識別情報とを受付けるための店舗別電子メール内容受付け手段と、
前記店舗識別情報と当該店舗の各会員の電子メールアドレスとに対応付けて、当該会員に関する会員属性情報を店舗別に記憶するための店舗別会員属性情報記憶手段と、
広告依頼者から依頼された広告に関する広告情報と、当該広告が挿入される電子メールの受信者の属性に関する挿入条件とを対応付けて記憶するための広告情報記憶手段と、
前記店舗別会員属性情報記憶手段において、前記店舗別電子メール内容受付け手段にて受付けた店舗識別情報に対応付けて記憶されている各会員の電子メールアドレスを、前記店舗別電子メール内容受付け手段にて受付けた電子メールの内容を含む電子メールの送信先として特定する送信先アドレス特定手段と、
該送信先アドレス特定手段にて特定された電子メールアドレスに対して送信される電子メールに挿入される広告を、当該電子メールアドレスに対応付けて前記店舗別会員属性情報記憶手段に記憶されている会員属性情報と、前記広告情報記憶手段に記憶されている挿入条件とから決定する挿入広告決定手段と、
該挿入広告決定手段にて決定された広告と前記店舗別電子メール内容受付け手段にて受付けた電子メールの内容とを含む電子メールを作成する電子メール作成手段と、
該電子メール作成手段にて作成された電子メールを、前記挿入広告決定手段にて挿入される広告の決定に用いた電子メールアドレスに対して送信する電子メール送信手段と、
を備えることを特徴としている。
この特徴によれば、各店舗に設置された店舗内管理装置から、当該店舗の会員に対して送信する電子メールの内容が前記店舗別電子メール内容受付け手段にて受付けられることにより、前記店舗別会員属性情報記憶手段に記憶されている当該店舗の会員の電子メールアドレスに対して、前記電子メールの内容と、当該電子メールを受信する会員の属性に対応する広告とを含む電子メールが自動的に送信されるようになるため、これらメール受信者の属性に対応した広告が挿入された電子メールを送信する場合において、店舗側に非常に大きな労力が必要となってしまうことがなく、簡便にメール受信者である会員の属性に対応した広告が挿入された電子メールを送信することができる。
【０００７】
本発明の請求項２に記載の広告メール送信装置は、請求項１に記載の広告メール送信装置であって、
前記店舗別会員属性情報記憶手段に記憶されている全ての電子メールアドレスに対して送信する電子メールの内容を受付けるための共通電子メール内容受付け手段を備え、
前記送信先アドレス特定手段は、前記店舗別会員属性情報記憶手段に記憶されている全ての電子メールアドレスを、前記共通電子メール内容受付け手段にて受付けた電子メールの内容を含む電子メールの送信先として特定し、
前記挿入広告決定手段は、前記共通電子メール内容受付け手段にて受付けた電子メールの内容を含む電子メールに挿入される広告を、当該電子メールアドレスに対応付けて前記店舗別会員属性情報記憶手段に記憶されている会員属性情報と、前記広告情報記憶手段に記憶されている挿入条件とから決定し、
前記電子メール作成手段は、前記挿入広告決定手段にて決定された広告と前記共通電子メール内容受付け手段にて受付けた電子メールの内容とを含む電子メールを作成することを特徴としている。
この特徴によれば、各店舗から当該店舗の会員への電子メールのみならず、全店舗の会員に対して、メール受信者である会員の属性に対応した広告が挿入された共通の電子メールを送信することができる。
【０００８】
本発明の請求項３に記載の広告メール送信装置は、請求項１または２に記載の広告メール送信装置であって、
前記電子メール作成手段において電子メールに挿入されることで前記電子メール送信手段から送信された広告の挿入回数を、各広告毎に集計するための広告回数集計手段と、
該広告回数集計手段にて集計された集計結果を、各広告の依頼者に対して送信する集計結果送信手段と、
を備えることを特徴としている。
この特徴によれば、広告依頼者は、依頼した広告の送信状況（広告状況）を集計結果に基づいて把握することができる。
【０００９】
本発明の請求項４に記載の広告メール送信装置は、請求項１〜３のいずれかに記載の広告メール送信装置であって、
前記電子メール送信手段にて送信された電子メールに含まれる広告に対する会員からの応答を受信する応答受信手段と、
該応答受信手段により受信した会員からの応答に基づいて、前記電子メール送信手段にて送信された電子メールに含まれる広告に対する応答有りと判定する広告応答判定手段と、
該広告応答判定手段にて応答有りと判定された応答回数を、各広告毎に集計するための応答回数集計手段と、
該応答回数集計手段にて集計された応答回数を、各広告の依頼者に対して送信する応答回数送信手段と、
を備えることを特徴としている。
この特徴によれば、広告依頼者は、依頼した広告の反響の度合いを応答回数に基づいて把握することができ、これら応答回数の情報を今後の広告の検討に資することができる。
【００１０】
本発明の請求項５に記載の広告メール送信サービスの提供方法は、
複数のコンピュータ端末をデータ通信可能に接続するためのオープンコンピュータネットワークに接続された各店舗の会員の情報端末に対して、店舗から各会員に対して広告を含む電子メールを、前記オープンコンピュータネットワークに接続されたサーバコンピュータを用いて送信するための広告メール配信サービスの提供方法であって、
前記サーバコンピュータは、
各店舗に設置されて当該店舗における会員に関する会員関連情報を管理する店舗内管理装置から当該店舗の会員に対して送信する電子メールの内容と当該店舗を個々に識別可能な店舗識別情報とを受付けるための店舗別電子メール内容受付けステップと、
前記店舗識別情報と当該店舗の各会員の電子メールアドレスとに対応付けて、当該会員に関する会員属性情報を店舗別に記憶する店舗別会員属性情報記憶ステップと、
広告依頼者から依頼された広告に関する広告情報と、当該広告が挿入される電子メールの受信者の属性に関する挿入条件とを対応付けて記憶する広告情報記憶ステップと、
前記店舗別会員属性情報記憶ステップにおいて、前記店舗別電子メール内容受付けステップにて受付けた店舗識別情報に対応付けて記憶された各会員の電子メールアドレスを、前記店舗別電子メール内容受付けステップにて受付けた電子メールの内容を含む電子メールの送信先として特定する送信先アドレス特定ステップと、
該送信先アドレス特定ステップにて特定された電子メールアドレスに対して送信される電子メールに挿入される広告を、当該電子メールアドレスに対応付けて前記店舗別会員属性情報記憶ステップにおいて記憶された会員属性情報と、前記広告情報記憶ステップにて記憶された挿入条件とから決定する挿入広告決定ステップと、
該挿入広告決定ステップにて決定された広告と前記店舗別電子メール内容受付けステップにて受付けた電子メールの内容とを含む電子メールを作成する電子メール作成ステップと、
該電子メール作成ステップにて作成された電子メールを、前記挿入広告決定ステップにて挿入される広告の決定に用いた電子メールアドレスに対して送信する電子メール送信ステップと、
を含むことを特徴としている。
この特徴によれば、各店舗に設置された店舗内管理装置から、当該店舗の会員に対して送信する電子メールの内容が前記店舗別電子メール内容受付けステップにて受付けられることにより、前記店舗別会員属性情報記憶ステップにて記憶された当該店舗の会員の電子メールアドレスに対して、前記電子メールの内容と、当該電子メールを受信する会員の属性に対応する広告とを含む電子メールが自動的に送信されるようになるため、これらメール受信者の属性に対応した広告が挿入された電子メールを送信する場合において、店舗側に非常に大きな労力が必要となってしまうことがなく、簡便にメール受信者である会員の属性に対応した広告が挿入された電子メールを送信することができ、結果的に、電子メールに広告を挿入して広告収入を得るビジネスにおける大きな障害を解消することができる。
【００１１】
本発明の請求項６に記載の広告メール送信サービスの提供方法は、請求項５に記載の広告メール送信サービスの提供方法であって、
前記店舗別会員属性情報記憶ステップにて記憶された全ての電子メールアドレスに対して送信する電子メールの内容を受付けるための共通電子メール内容受付けステップを含み、
前記送信先アドレス特定ステップにおいては、前記店舗別会員属性情報記憶ステップにて記憶された全ての電子メールアドレスを、前記共通電子メール内容受付けステップにて受付けた電子メールの内容を含む電子メールの送信先として特定し、
前記挿入広告決定ステップにおいては、前記共通電子メール内容受付けステップにて受付けた電子メールの内容を含む電子メールに挿入される広告を、当該電子メールアドレスに対応付けて前記店舗別会員属性情報記憶ステップにて記憶された会員属性情報と、前記広告情報記憶ステップにて記憶された挿入条件とから決定し、
前記電子メール作成ステップにおいては、前記挿入広告決定ステップにて決定された広告と前記共通電子メール内容受付けステップにて受付けた電子メールの内容とを含む電子メールを作成することを特徴としている。
この特徴によれば、各店舗から当該店舗への電子メールのみならず、全店舗の会員に対して、メール受信者である会員の属性に対応した広告が挿入された共通の電子メールを送信することができる。
【００１２】
本発明の請求項７に記載の広告メール送信サービスの提供方法は、請求項５または６に記載の広告メール送信サービスの提供方法であって、
前記電子メール作成ステップにおいて電子メールに挿入されることで前記電子メール送信ステップにて送信された広告の挿入回数を、各広告毎に集計する広告回数集計ステップと、
該広告回数集計ステップにて集計された集計結果を、各広告の依頼者に対して送信する集計結果送信ステップと、
を含むことを特徴としている。
この特徴によれば、広告依頼者は、依頼した広告の送信状況（広告状況）を集計結果に基づいて把握することができる。
【００１３】
本発明の請求項８に記載の広告メール送信サービスの提供方法は、請求項５〜７のいずれかに記載の広告メール送信サービスの提供方法であって、
前記電子メール送信ステップにて送信された電子メールに含まれる広告に対する会員からの応答を受信する応答受信ステップと、
該応答受信ステップにおいて受信した会員からの応答に基づいて、前記電子メール送信ステップにて送信された電子メールに含まれる広告に対する応答有りと判定する広告応答判定ステップと、
該広告応答判定ステップにて応答有りと判定された応答回数を、各広告毎に集計する応答回数集計ステップと、
該応答回数集計ステップにて集計された応答回数を、各広告の依頼者に対して送信する応答回数送信ステップと、
を含むことを特徴としている。
この特徴によれば、広告依頼者は、依頼した広告の反響の度合いを応答回数に基づいて把握することができ、これら応答回数の情報を今後の広告の検討に資することができる。
【発明を実施するための最良の形態】
【００１４】
本発明の実施例を以下に説明する。尚、以下の実施例においては、本発明の広告メール送信装置を成す管理サーバ１４０並びにサイトサーバ１４とを広告メール送信サービスを提供するカード管理会社に設置し、店舗としての複数の各遊技場において会員登録している会員遊技者へ送信される電子メール（会員メール）に対して広告を挿入して送信するために特化させたシステムとした例について説明するが、本発明はこれに限定されるものではなく、後述するように、これら遊技場以外の店舗においても、本発明の広告メール送信装置や広告メール送信サービスの提供方法を適用できることは言うまでもない。
【００１５】
まず図１は、本発明の電子メール効果評価装置および電子メール効果評価サービスの提供方法が適用され、カード管理会社に設置された管理サーバ１４０並びにサイトサーバ１４を有する本実施例の遊技用システムの構成を示す図であり、本実施例の遊技用システムは、図１に示すように、通信回線網としてのインターネット網に接続された利用者である会員ａ、ｂ・・・の情報端末である携帯電話１６やノートパソコン１５、並びに広告依頼者の情報端末であるコンピュータ端末１７等にインターネット網を介して接続され、これら携帯電話１６やノートパソコン１５やコンピュータ端末１７と双方にデータ送受可能に接続されているカード管理会社に設置されたサイトサーバ１４と、該サイトサーバ１４に接続されるとともに、各遊技場と通信回線１１を介して接続されて各遊技場における会員に関する情報や各遊技場において使用される会員用記録媒体である会員カード並びにプリペイドカードに残存する度数等の管理を行う管理サーバ１４０と、各遊技場内に設置され、これら管理サーバ１４０に通信回線網１１とルータ５とを介して接続され、各パチンコ機２に対応して設けられているカードユニット３において使用される会員カードの利用に関する情報を収集するとともに、遊技場の会員登録をした会員遊技者（会員）に関する各種情報の管理を行う各遊技場に設置された会員管理コンピュータ１２０並びに当該遊技場において使用される会員カード並びにプリペイドカードであるビジターカードに記録されている遊技用価値である度数の管理等を行うシステムコントローラ１００とから主に構成されている。
【００１６】
この本実施例において用いた遊技者の情報端末としての携帯電話１６は、インターネット接続機能を有するとともに、前記ノートパソコン１５は、カードスロットに装着されたモデムカード（図示略）を通じてインターネット網に接続可能とされていて、該インターネット網を介して前記サイトサーバ１４に接続されており、該サイトサーバ１４から送信される電子メールを、携帯電話サービスを提供する携帯電話会社に設置されているＰＯＰサーバ（図示せず）や、インターネット接続サービス会社（ＩＳＰ）に設置されているＰＯＰサーバ（図示せず）を介して、受信或いは送信できるようになっている。
【００１７】
また、本実施例において用いた広告依頼者のコンピュータ端末１７も、図示しない通信装置を介してインターネット網に接続可能とされていて、該インターネット網を介して前記サイトサーバ１４に接続されており、該サイトサーバ１４へのアクセスや、該サイトサーバ１４から送信される電子メールを、インターネット接続サービス会社（ＩＳＰ）に設置されているＰＯＰサーバ（図示せず）を介して、受信或いは送信できるようになっている。
【００１８】
また、各遊技場に設置されている会員管理コンピュータ１２０には、図１に示すように、遊技場において複数配置された遊技島に並設される遊技機としてのパチンコ機２に対して１対１に設置されるカードユニット３や、会員遊技者が遊技にて獲得したパチンコ玉を計数して再度遊技に使用可能とするための玉計数器（図示略）と、当該カードユニット３にて使用される会員カード並びにビジターカードに記録されている遊技用価値である度数の管理等を行うシステムコントローラ１００が、通信ケーブルを介して接続されており、カードユニット３からは、当該カードユニット３に会員カードが挿入されたことを示す、各会員を個々に識別可能とするために各遊技場毎において固有に付与された会員カードから読み出された会員ＩＤを含むカード受付け通知が送信されることで、来店回数や来店ポイント等の付与が実施されるとともに、玉計数器（図示略）からは会員カードから読み出された会員ＩＤと計数したパチンコ玉数の情報が送信されることで、当該会員管理コンピュータ１２０にて管理されている貯蓄玉数への加算更新が実施される。
【００１９】
また、各遊技場に設置されている該システムコントローラ１００も、ルータ５並びに通信回線１１を通じてカード管理会社に設置されている管理サーバ１４０に接続されており、該管理サーバ１４０において、各遊技場にて使用される会員カードやビジターカードに残存する度数等のカードに関する情報が管理されている。
【００２０】
また、カード管理会社には前記管理サーバ１４０とともに、該管理サーバ１４０並びにインターネット網に接続されたサイトサーバ１４が設置されていて、当該サイトサーバ１４はインターネット網への接続機能を有する広告依頼者のコンピュータ端末１７からアクセス可能とされているとともに、これら広告依頼者のコンピュータ端末１７やノートパソコン１５や携帯電話１６とのメール送受信を実施できるようになっている。
【００２１】
まず、本実施例に用いた会員管理コンピュータ１２０の構成を、図２を用いて説明すると、本実施例に用いた会員管理コンピュータ１２０は、コンピュータ内部にてデータの送受を行うデータバス１２１に、該会員管理コンピュータ１２０が実施する会員の個人情報等の会員遊技者に関する属性情報を含む会員関連情報を受付けて、該会員遊技者を個々に識別可能な会員識別情報である会員ＩＤに対応付けて記憶管理する処理や、会員に送信する電子メールである会員メールの内容を受付ける処理や、当該受付けた会員メールの内容を含む電子メール送信要求を管理サーバ１４０に送信する処理等の各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、新規会員に関する会員関連情報等の各種情報を入力するためのキーボードやマウス等の入力装置１２５、後述する会員登録画面や会員メール入力画面等の各種画面を表示出力するための表示装置１２６、プリンタ１２７、遊技場内に各パチンコ機２に対応して設置されたカードユニット３や該カードユニット３にて使用される会員カードやビジターカードの度数等の管理を行うシステムコントローラ１００並びにルータ５を介してカード管理会社の前記管理サーバ１４０とのデータ通信を行うための通信部１２８が接続された通常のコンピュータである。
【００２２】
また、記憶装置１２４には、会員管理コンピュータ１２０の処理を実施するための処理プログラムに加えて、各会員遊技者が所有する貯蓄玉数や各会員遊技者に関する属性を含む会員関連情報が登録（記憶）される会員情報テーブル（図３参照）や、各会員遊技者の遊技により発生した当該会員遊技者の収支等を含む遊技履歴が記憶される会員別遊技履歴テーブル（図示略）等から成る会員管理データベース（ＤＢ）が記憶されている。
【００２３】
この本実施例の会員情報テーブルには、図３に示すように、各会員遊技者を個々に識別可能とするために、各会員遊技者に当該遊技場にて固有に付与された会員識別情報である会員ＩＤに対応付けて、本人確認に使用される暗証番号と、当該遊技者が所有する貯蓄玉数と、その時点の来店ポイント数と、来店回数と、会員の氏名（名字並びに名前）、性別、年齢、誕生日、職業、住所、電子メールアドレスからなる会員属性情報とが登録（記憶）されている。
【００２４】
また、本実施例の会員管理コンピュータ１２０のＣＰＵ１２２は、カードユニット３における再プレイ操作に基づいて該カードユニット３から送信される貯玉使用要求の受信に基づき、当該貯玉使用要求に含まれる暗証番号を当該貯玉使用要求に含まれる会員ＩＤに対応して前記会員情報テーブルに記憶されている暗証番号と照合し、当該照合が一致した場合において、該会員情報テーブルに当該会員ＩＤに対応付けて記憶されている貯蓄玉数の遊技への再使用を許諾する貯蓄玉数使用許諾処理を実施し、該貯蓄玉数の遊技への再使用に供された貯蓄玉数の大きさを該貯蓄玉数の大きさから減算更新する。
【００２５】
また、本実施例の会員管理コンピュータ１２０のＣＰＵ１２２は、新規の会員登録を実施するための所定操作がなされた場合において、図７に示す会員登録画面を表示装置１２６に表示して、新たに会員登録する会員遊技者に関する会員属性情報の入力を受付ける会員属性情報入力処理を実施し、当該新規会員遊技者に会員ＩＤを付与するとともに、当該付与した会員ＩＤに対応付けて、該会員登録画面にて受付けた会員属性情報を前記会員情報テーブルに記憶する会員属性情報記憶処理を実施した後、当該新たに会員情報テーブルに記憶した会員ＩＤと会員属性情報とを含む会員登録情報を管理サーバ１４０に送信する会員登録情報送信処理を実施する。（図９参照）
【００２６】
この本実施例に用いた会員登録画面には、図７に示すように、前記会員情報テーブルに記憶（登録）される各種会員属性情報である会員の氏名（名字並びに名前）、性別、年齢、誕生日、職業、住所、電子メールアドレス等を入力するための入力部が設けられており、該入力部に対応する属性情報をそれぞれ入力した後に、画面下方の「登録」の選択入力部を選択することで、前記会員属性情報記憶処理並びに前記会員登録情報送信処理が実施されることにより、当該会員登録情報を受信した管理サーバ１４０において、該受信した会員登録情報に含まれる遊技場ＩＤ並びに会員ＩＤに対応付けて、該受信した会員登録情報に含まれる会員属性情報が遊技場別会員情報データベースに登録（記憶）される。（図９参照）
【００２７】
また、本実施例の会員管理コンピュータ１２０のＣＰＵ１２２は、所定操作が実施されることに基づいて、図８に示す会員メール入力画面を表示装置１２６に表示して、会員に送信する会員メールの内容を受付ける会員メール受付け処理を実施し、該受付けた会員メールの内容と当該遊技場を個々に識別可能とされた遊技場識別情報である遊技場ＩＤとを含む電子メール送信要求を管理サーバ１４０に送信する電子メール送信要求送信処理を実施する。
【００２８】
次いで、本発明における広告メール送信装置を構成する管理サーバ１４０並びにサイトサーバ１４の構成について説明すると、まず管理サーバ１４０は、図４に示すように、コンピュータ内部にてデータの送受を行うデータバス１４１に、該管理サーバ１４０が実施する各遊技場にて使用される会員カードやビジターカードに残存する度数や使用度数、発行度数や入金度数の管理を行うための処理や、後述する記憶装置１４５に記憶されている各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線１１を通じて各遊技場に設置されたシステムコントローラ１００や店舗内管理装置である会員管理コンピュータ１２０とのデータ通信を行うためのデジタルサービスユニット（ＤＳＵ）１４８、サイトサーバ１４との双方向のデータ通信を行うための通信部１４９、が接続された処理能力に比較的優れた通常のコンピュータである。
【００２９】
また、記憶装置１４５には、管理サーバ１４０が実施する各種処理内容が記述された処理プログラムに加えて、会員カードやビジターカードに残存する度数や入金額等のデータ等が記憶されるカード管理ＤＢ（図示略）や、図５（ａ）に示す本発明における店舗別会員属性情報記憶手段となる遊技場別会員情報データベースや、図５（ｂ）に示す本発明における広告情報記憶手段となる広告情報テーブルや、図６に示す本発明における広告回数集計手段並びに応答回数集計手段となる広告効果集計テーブルが記憶されている。
【００３０】
この本実施例の遊技場別会員情報データベースには、図５（ａ）に示すように、個々の遊技場毎に、各遊技場において会員登録した会員遊技者の会員ＩＤに対応付けて、当該会員の会員属性情報である会員の氏名（名字並びに名前）、性別、年齢、誕生日、職業、住所、電子メールアドレスが記憶されており、これら遊技場別会員情報データベースの記憶データは、前記会員管理コンピュータ１２０から送信される会員登録情報の受信に基づいて登録（記憶）される。
【００３１】
また、本実施例の広告情報テーブルには、図５（ｂ）に示すように、各広告依頼者（クライアント）を個々に識別可能な広告依頼者（クライアント）ＩＤに対応付けて、前記サイトサーバ１４にて形成される広告サービスサイトへのログイン時における照合において使用されるパスワードと、広告効果の集計結果通知メールを送信する送信先となる通知メール送信アドレスと、当該広告依頼者（クライアント）ＩＤの広告を挿入する対象とする会員の属性である挿入対象属性と、当該広告依頼者（クライアント）ＩＤの広告を会員メール並びに共通メールに挿入する期間である実施期間と、広告効果集計テーブルにて集計した集計結果を含む集計結果通知メールを送信するスケジュールである集計結果送信スケジュールと、会員メール並びに共通メールに挿入される広告内容を含む広告データファイルへのパスデータと、会員メール並びに共通メールにおいて２次電子メールの要求がなされた場合に送信される２次電子メールの内容を含む２次電子メールデータファイルへのパスデータと、会員メール並びに共通メールに挿入されるリンク広告にてリンクされたリンク先となる広告概要ページのＵＲＬと、会員メール並びに共通メールに挿入されるリンク広告にてリンクされたリンク先となる広告詳細ページの各ＵＲＬとが記憶されており、これら広告依頼者（クライアント）ＩＤやパスワードや通知メール送信アドレスは、クライアント登録において広告情報テーブルに登録（記憶）され、その他の挿入対象属性以降の各データは、後述する広告受付けページにて、受付けられた広告内容に基づいて更新記憶される。
【００３２】
また、本実施例の広告効果集計テーブルには、図６に示すように、各広告依頼者（クライアント）の広告依頼者（クライアント）ＩＤに対応付けて、当該広告依頼者（クライアント）の広告が会員メール並びに共通メールに挿入された回数である広告挿入回数と、２次電子メールが送信された回数と、広告概要ページへのアクセス数と、各広告詳細ページへのアクセス数とが集計・記憶されている。
【００３３】
この本実施例の管理サーバ１４０のＣＰＵ１４２は、会員管理コンピュータ１２０において前記会員登録情報送信処理が実施されることにより、該会員登録情報送信処理にて送信されてきた会員登録情報に含まれる前記店舗識別情報である遊技場ＩＤ並びに会員ＩＤとに対応付けて、当該会員の電子メールアドレスを含む当該会員に関する会員属性情報を、店舗別会員属性情報記憶手段となる遊技場別会員情報データベースに店舗別に記憶する店舗別会員属性情報記憶処理を実施し、該店舗別会員属性情報記憶処理によって本発明における店舗別会員属性情報記憶ステップが形成されている。
【００３４】
また、本実施例の管理サーバ１４０のＣＰＵ１４２は、各遊技場に設置された会員管理コンピュータ１２０において前記電子メール送信要求送信処理により送信される電子メール送信要求を受信する、つまりは、店舗内管理装置である会員管理コンピュータ１２０から当該店舗である遊技場の会員に対して送信する会員メールの内容と当該遊技場の遊技場ＩＤとを含む電子メール送信要求を受信して受付ける電子メール送信要求受信処理を実施し、該電子メール送信要求受信処理によって本発明における店舗別電子メール内容受付け手段並びに店舗別電子メール内容受付けステップとが形成されている。
【００３５】
また、本実施例の管理サーバ１４０のＣＰＵ１４２は、広告依頼者から依頼された広告に関する広告情報となる広告データへのパスデータと、当該広告が挿入される電子メールの受信者の属性に関する挿入条件となる挿入対象属性とを、広告情報記憶手段となる広告情報テーブルに対応付けて記憶する広告情報記憶処理を実施し、該広告情報記憶処理によって本発明における広告情報記憶ステップが形成されている。
【００３６】
また、本実施例の管理サーバ１４０のＣＰＵ１４２は、前記店舗別会員属性情報記憶手段である遊技場別会員情報データベースにおいて、前記電子メール送信要求受信処理にて受付けた店舗識別情報である遊技場ＩＤに対応付けて記憶されている各会員の電子メールアドレスを、前記電子メール送信要求受信処理にて受付けた電子メールの内容を含む電子メールの送信先として特定する送信先アドレス特定処理を実施し、該送信先アドレス特定処理によって本発明における送信先アドレス特定手段並びに送信先アドレス特定ステップとが形成されている。
【００３７】
また、本実施例の管理サーバ１４０のＣＰＵ１４２は、該送信先アドレス特定処理にて特定された電子メールアドレスに対して送信される電子メールに挿入される広告を、当該電子メールアドレスに対応付けて前記遊技場別会員情報データベースに記憶されている会員属性情報と、前記広告情報テーブルに記憶されている挿入条件となる挿入対象属性とから決定する挿入広告決定処理を実施し、該挿入広告決定処理によって本発明における挿入広告決定手段並びに挿入広告決定ステップとが形成されている。
【００３８】
また、本実施例の管理サーバ１４０のＣＰＵ１４２は、該挿入広告決定処理にて決定された広告と前記電子メール送信要求受信処理にて受付けた電子メールの内容とを含む電子メールを作成する電子メール作成処理を実施し、該電子メール作成処理によって本発明における電子メール作成手段並びに電子メール作成ステップとが形成されている。
【００３９】
また、本実施例の管理サーバ１４０のＣＰＵ１４２は、該電子メール作成処理にて作成された電子メールを、前記挿入広告決定処理にて挿入される広告の決定に用いた電子メールアドレスに対して、前記サイトサーバ１４から送信させる電子メール送信処理を実施し、該電子メール送信処理によって本発明における電子メール送信手段並びに電子メール送信ステップとが形成されている。
【００４０】
また、本実施例の管理サーバ１４０のＣＰＵ１４２は、図１０に示す共通メール入力画面を表示装置１４６に表示して、遊技場別会員情報データベースに記憶されている全ての電子メールアドレス、つまりは遊技場別会員情報データベースに記憶されている全ての遊技場の会員に対して送信する電子メールである共通メールの内容を受付けるための共通電子メール内容受付け処理を実施し、該共通電子メール内容受付け処理によって本発明における共通電子メール内容受付け手段並びに共通電子メール内容受付けステップとが形成されている。
【００４１】
また、本実施例の管理サーバ１４０のＣＰＵ１４２は、前記共通電子メール内容受付け処理にて共通メールの内容を受付けた場合に、前記送信先アドレス特定処理において、前記遊技場別会員情報データベースに記憶されている全ての電子メールアドレスを、前記共通電子メール内容受付け処理にて受付けた電子メールである共通メールの内容を含む電子メールの送信先として特定する。
【００４２】
また、本実施例の管理サーバ１４０のＣＰＵ１４２は、前記挿入広告決定処理において、前記共通電子メール内容受付け処理にて受付けた電子メールの内容を含む電子メールである共通メールに挿入される広告を、当該電子メールアドレスに対応付けて前記遊技場別会員情報データベースに記憶されている会員属性情報と、前記広告情報テーブルに記憶されている挿入条件である挿入対象属性とから決定する。
【００４３】
また、本実施例の管理サーバ１４０のＣＰＵ１４２は、前記電子メール作成処理において、前記挿入広告決定処理にて決定された広告と前記共通電子メール内容受付け処理にて受付けた電子メールの内容とを含む電子メールである共通メールを作成する。
【００４４】
また、本実施例の管理サーバ１４０のＣＰＵ１４２は、前記電子メール作成処理において電子メールに挿入されることで前記電子メール送信処理にて送信された広告の挿入回数を、各広告毎に集計するための広告回数集計手段となる広告効果集計テーブルの当該広告挿入回数に挿入毎に１を加算更新することで集計する広告回数集計処理を実施し、該広告回数集計処理によって本発明における広告回数集計ステップが形成されている。
【００４５】
また、本実施例の管理サーバ１４０のＣＰＵ１４２は、該広告回数集計ステップとなる広告回数集計処理により、広告回数集計手段となる広告効果集計テーブルにて集計された集計結果を含む集計結果通知メールを、各広告の依頼者（クライアント）の電子メールアドレス（通知メール送信アドレス）に対して送信する集計結果送信処理を実施し、該集計結果送信処理によって本発明における集計結果送信手段と集計結果送信ステップとが形成されている。
【００４６】
また、本実施例の管理サーバ１４０のＣＰＵ１４２は、前記電子メール送信処理にて送信された電子メールに含まれる広告に対する会員からの応答となる２次電子メールの送信を要求する電子メールの受信や、各電子メール受信者がサイトサーバ上の各広告リンクページへアクセスした際にサイトサーバ１４から送信される２次電子メール要求メールの受信通知や各広告リンクページのＵＲＬを含むアクセス情報の受信に基づいて、前記電子メール送信処理にて送信された電子メールに含まれる広告に対する応答有りと判定する広告応答判定処理を実施し、該広告応答判定処理によって本発明における広告応答判定手段と広告応答判定ステップとが形成されている。
【００４７】
また、本実施例の管理サーバ１４０のＣＰＵ１４２は、該広告応答判定処理にて応答有りと判定された応答回数である、応答回数集計手段となる広告効果集計テーブルにおける２次電子メールの送信回数、各広告リンクページへのアクセス回数に、応答の判定がある毎に１を加算更新することで集計する応答回数集計処理を実施し、該応答回数集計処理によって本発明における応答回数集計ステップが形成されている。
【００４８】
また、本実施例の管理サーバ１４０のＣＰＵ１４２は、該応答回数集計ステップとなる応答回数集計処理により、応答回数集計手段となる広告効果集計テーブルにて集計された２次電子メールの送信回数、各広告リンクページへのアクセス回数の集計結果を含む集計結果通知メールを前記集計結果送信処理において送信し、該集計結果送信処理によって本発明における応答回数送信手段並びに応答回数送信ステップとが形成されている。
【００４９】
次いで、本発明において前記管理サーバ１４０とともに広告メール送信装置を構成するサイトサーバ１４について説明すると、サイトサーバ１４は、図４に示すように、コンピュータ内部にてデータの送受を行うデータバス１８１に、該サイトサーバ１４が実施するサイト用の各種データの送受を行う処理や、管理サーバ１４０からの各種電子メールを該電子メールの送信先に対して送信する処理等を行うＣＰＵ１８２、処理時の一時記憶領域等として使用されるＲＡＭ１８３、サイトを構成する各ページや広告にリンクされた各広告リンクページのＨＴＭＬデータや処理プログラム等が記憶されている磁気ディスクや光磁気ディスクから成る記憶装置１８４、前記管理サーバ１４０とのデータ通信を行う第１通信部１８８、インターネット網を介して会員遊技者の情報端末であるノートパソコン１５や携帯電話１６並びに広告依頼者のコンピュータ端末１７やインターネット網上の各メールサーバ等とのデータ通信を行う第２通信部１８９、が接続されたサーバ用のコンピュータである。
【００５０】
また、本実施例のサイトサーバ１４のＣＰＵ１８２は、広告依頼者のコンピュータ端末１７からのアクセスに基づいて、ログインページ（図１１）を配信し、広告依頼者から広告依頼者（クライアント）ＩＤと、パスワードとを受付け、当該受付けた広告依頼者（クライアント）ＩＤとパスワードとを管理サーバ１４０に送信する処理を実施し、該送信された広告依頼者（クライアント）ＩＤとパスワードとに基づいて、管理サーバ１４０においてパスワードの照合処理が実施される。
【００５１】
また、本実施例のサイトサーバ１４のＣＰＵ１８２は、各会員遊技者の情報端末であるノートパソコン１５や携帯電話１６の電子メールアドレスに管理サーバ１４０から送信されてくる会員メールや共通メールを送信する処理を実施する。
【００５２】
また、本実施例のサイトサーバ１４のＣＰＵ１８２は、広告依頼者の通知メール送信アドレスに管理サーバ１４０からの集計結果通知メールを送信する処理を実施する。
【００５３】
また、本実施例のサイトサーバ１４のＣＰＵ１８２は、前記電子メール送信処理にて各会員に送信された電子メールに含まれる広告に対する会員からの応答となる当該広告依頼者（クライアント）の広告依頼者（クライアント）ＩＤを含む２次電子メールの送信を要求する電子メール（２次電子メール要求メール）の受信や、各電子メール受信者がサイトサーバ上の各広告リンクページを選択入力することに基づく各広告リンクページのリクエスト、具体的には概要ページ或いは各詳細ページのリクエストを受信するとともに、前記２次電子メール要求メールに含まれる広告依頼者（クライアント）ＩＤを含む受信通知や各広告リンクページのＵＲＬを含むアクセス情報を管理サーバ１４０に送信する応答受信処理を実施し、該応答受信処理によって本発明における応答受信手段並びに応答受信ステップとが形成されている。
【００５４】
また、本実施例のサイトサーバ１４のＣＰＵ１８２は、広告依頼者のコンピュータ端末１７に広告受付けページ（図１２参照）を配信して広告に関する設定を受付ける広告受付処理を実施し、該受付けた広告の設定内容や受信ファイルや広告依頼者（クライアント）ＩＤを管理サーバ１４０に送信する処理を実施することで、該送信された広告の設定内容や受信ファイルへのパスデータが前記広告情報テーブルに記憶されるようになっている。
【００５５】
ここで、本実施例のサイトサーバにおいて広告依頼者（クライアント）から広告を受付ける流れについて説明すると、広告依頼者（クライアント）がコンピュータ端末１７からサイトサーバ１４による会員電子メール広告サービスサイトにアクセスすると、サイトサーバ１４から図１１に示すログインページが配信されることに基づき、該ログインページ上において広告依頼者（クライアント）ＩＤとパスワードとを入力する。
【００５６】
このログインページ上において入力された広告依頼者（クライアント）ＩＤとパスワードは、サイトサーバ１４から管理サーバ１４０に送信されて、管理サーバ１４０において、広告情報テーブルにサイトサーバ１４から受信した広告依頼者（クライアント）ＩＤに対応付けて記憶されているパスワードと受信したパスワードとの比較による照合処理が実施されて、当該照合が一致した場合において、図１２に示す広告受付けページが配信される。
【００５７】
この本実施例の広告受付けページには、図１２に示すように、設定入力の項目内に、広告を電子メールに挿入する期間である広告実施期間と、広告の挿入対象とする電子メールを受信する会員の属性に関する条件である広告挿入対象者条件と、集計結果通知メールが配信されるスケジュールである集計結果送信スケジュールの項目と、電子メールに挿入される広告の内容を含む広告データをアップロードするために選択指定するための広告データのアップロードの項目と、２次電子メールの内容を含む２次電子メールデータをアップロードするために選択指定するための２次電子メールデータのアップロードの項目と、概要ページの内容を含む概要ページデータ（ＨＴＭＬデータ）をアップロードするために選択指定するための概要ページのアップロードの項目と、詳細ページ１の内容を含む詳細ページデータ（ＨＴＭＬデータ）をアップロードするために選択指定するための詳細ページ１のアップロードの項目と、以下、詳細ページ２、詳細ページ３、…と存在する詳細ページＮ（本実施例では最大５まで）のアップロードの項目が設けられている。
【００５８】
この広告受付けページにおいて広告依頼者は、依頼する広告の期間や広告の挿入対象とする会員の属性や、集計結果送信スケジュールを選択して設定するとともに、広告データや、２次電子メールデータや、概要ページデータや、各詳細ページデータを指定した後、「送信」の選択入力部を選択入力することで、これら設定された内容とともに、選択された各データがサイトサーバ１４に送信され、各ＨＴＭＬデータがサイトサーバ内の当該広告依頼者（クライアント）ＩＤに対応する各ＵＲＬに対応付けてサイトサーバ１４に記憶されるとともに、該サイトサーバ１４から管理サーバ１４０に対して、該受信した広告受付けページにおいて設定された内容、具体的には、広告実施期間と広告挿入対象者条件と集計結果送信スケジュールの内容と、２次電子メールデータとともに、各ＨＴＭＬデータに割り当てられたＵＲＬのデータと広告依頼者（クライアント）ＩＤとが管理サーバ１４０に送信されることで、該広告依頼者（クライアント）ＩＤに対応付けて前記広告情報テーブルに記憶されている各データが更新記憶されるとともに、当該広告依頼者（クライアント）ＩＤに対応付けて前記広告効果集計テーブルに記憶されている各データがリセットされる。
【００５９】
このようにして、広告情報テーブルに記憶された各広告依頼者（クライアント）の広告が、その実施期間中において会員メール並びに共通メールに挿入される流れについて、図９に基づき説明すると、まず、会員メールの場合には、各遊技場に設置された前記会員管理コンピュータ１２０において、当該遊技場の会員に対して通知したい内容が図８に示す会員メール入力画面において入力される。
【００６０】
遊技場側が自己の遊技場の会員に対して電子メールである会員メールを送信したい場合には、会員管理コンピュータ１２０の表示装置１２６に、図８に示す会員メール入力画面を表示させ、当該会員メール入力画面の入力部に、送信したいメールの内容を入力した後、画面下方の「送信」の選択入力部を選択入力する。
【００６１】
該選択入力に基づいて会員管理コンピュータ１２０のＣＰＵ１２２は、当該会員メール入力画面の入力部に入力された会員メールの内容と当該遊技場の遊技場ＩＤとを含む電子メール送信要求を管理サーバ１４０に対して送信する。
【００６２】
このようにして会員管理コンピュータ１２０から送信された電子メール送信要求を受信した管理サーバ１４０は、受信した電子メール送信要求に含まれる遊技場ＩＤに対応して遊技場別会員情報データベースに記憶されている電子メールアドレスを、当該電子メール送信要求に含まれる会員メールを送信する送信対象の電子メールアドレスとして特定する。
【００６３】
そして、該特定した各電子メールアドレスに対応して前記遊技場別会員情報データベースに記憶されている当該会員の属性と広告情報テーブルに記憶されている挿入対象属性とから、当該電子メールアドレスへ送信される会員メールに挿入される広告を決定し、該決定した広告と前記受信した電子メール送信要求に含まれる会員メールの内容とを含む電子メールである会員メールを作成する。
【００６４】
そして、該作成された会員メールを前記にて挿入する広告の決定に使用した電子メールアドレスに対してサイトサーバ１４から送信するとともに、当該送信した会員メールに挿入された広告の広告依頼者（クライアント）ＩＤに対応する広告挿入回数に１を加算更新する。
【００６５】
このようにして会員に送信される会員メールは、図１４に示すように、その内容としては、当該メール受信者が会員となっている遊技場に設置された会員管理コンピュータ１２０にて入力された内容、例えば来週のイベント予定等の内容とともに、例えば当該メールの受信者が女性であれば、図１４（ａ）に示すように、広告情報テーブルの挿入対象属性として「女性」が記憶されている広告の広告データに記憶されている内容、具体的には、「今話題の新コスメ登場、この秋…」の内容が挿入されるとともに、２次電子メールを要求するための選択入力部となる「次メールへ」の選択入力部と、広告の概要ページへのリンクとなる「商品の概要はこちらへ」の選択入力部と、広告の詳細ページ１へのリンクとなる「２０代の方用の商品詳細はこちらへ」の選択入力部と、広告の詳細ページ２へのリンクとなる「３０代の方用の商品詳細はこちらへ」の選択入力部、並びに各年代の方用の商品詳細ページへのリンクが挿入されている。
【００６６】
この会員メールを受信した会員が、「次メールへ」の選択入力部を選択した場合には、２次電子メールを要求する旨の電子メールが当該会員メールの送信元となるサイトサーバ１４に送信されることで、当該２次電子メールの送信を要求する旨の電子メールの受信に基づいて、サイトサーバ１４から管理サーバ１４０に２次電子メール要求メールの受信通知が送信され、該２次電子メール要求メールの受信により該要求された２次電子メール内容を含む２次電子メールがサイトサーバ１４を介して返信されてくることにより、図１４（ｂ）に示すように、１次電子メールとなる会員メールにて広告された商品に関するより詳しい内容を、当該２次電子メールにて確認することができる。尚、この際、サイトサーバ１４は、該受信した２次電子メール要求メールに含まれる広告依頼者（クライアント）ＩＤを含む受信通知を管理サーバ１４０に送信することで、管理サーバ１４０において、送信された会員メールに対する応答有りと判定されて、前記広告効果集計テーブルに当該広告依頼者（クライアント）ＩＤに対応付けて記憶されている２次電子メールの送信回数に１が加算更新される。
【００６７】
また、本実施例では、該２次電子メールにも１次電子メールである会員メールと同様に、広告の概要ページへのリンクとなる「商品の概要はこちらへ」の選択入力部と、広告の詳細ページ１へのリンクとなる「２０代の方用の商品詳細はこちらへ」の選択入力部と、広告の詳細ページ２へのリンクとなる「３０代の方用の商品詳細はこちらへ」の選択入力部、並びに各年代の方用の商品詳細ページへのリンクが挿入されている。
【００６８】
これら会員メール（１次電子メール）並びに２次電子メールに挿入された「商品の概要はこちらへ」の選択入力部を会員が選択入力した場合には、当該選択入力部にリンクされている概要ページへのＵＲＬリクエストがサイトサーバ１４に対して送信されることにより、サイトサーバ１４は、該受信したＵＲＬリクエストに対応する概要ページをＵＲＬリクエストの送信元に配信することで、図１４（ｃ）に示す商品概要ページが会員の情報端末である、例えば携帯電話１６に表示される。尚、この際、サイトサーバ１４は、該受信したＵＲＬリクエストにてアクセスされた概要ページのＵＲＬを含むアクセス情報を管理サーバ１４０に送信することで、管理サーバ１４０において、送信された会員メールに対する応答有りと判定されて、前記広告効果集計テーブルに当該ＵＲＬに対応する広告依頼者（クライアント）ＩＤに対応して記憶されている当該ＵＲＬが該当する概要ページのアクセス数に１が加算更新される。
【００６９】
また、これら会員メール（１次電子メール）並びに２次電子メールに挿入された広告の詳細ページ１へのリンクとなる「２０代の方用の商品詳細はこちらへ」の選択入力部を会員が選択入力した場合には、当該選択入力部にリンクされている詳細ページ１へのＵＲＬリクエストがサイトサーバ１４に対して送信されることにより、サイトサーバ１４は、該受信したＵＲＬリクエストに対応する詳細ページ１をＵＲＬリクエストの送信元に配信することで、図１４（ｄ）に示す商品詳細ページ１が会員の情報端末である、例えば携帯電話１６に表示される。尚、この際、サイトサーバ１４は、該受信したＵＲＬリクエストにてアクセスされた詳細ページ１のＵＲＬを含むアクセス情報を管理サーバ１４０に送信することで、管理サーバ１４０において、前記送信された会員メールに対する応答有りと判定されて、前記広告効果集計テーブルに当該ＵＲＬに対応する広告依頼者（クライアント）ＩＤに対応して記憶されている当該ＵＲＬが該当する詳細ページ１のアクセス数に１が加算更新される。
【００７０】
また、これら会員メール（１次電子メール）並びに２次電子メールに挿入された広告の詳細ページ２へのリンクとなる「３０代の方用の商品詳細はこちらへ」の選択入力部を会員が選択入力した場合には、当該選択入力部にリンクされている詳細ページ２へのＵＲＬリクエストがサイトサーバ１４に対して送信されることにより、サイトサーバ１４は、該受信したＵＲＬリクエストに対応する詳細ページ２をＵＲＬリクエストの送信元に配信することで、図１４（ｅ）に示す商品詳細ページ２が会員の情報端末である、例えば携帯電話１６に表示される。尚、この際、サイトサーバ１４は、該受信したＵＲＬリクエストにてアクセスされた詳細ページ２のＵＲＬを含むアクセス情報を管理サーバ１４０に送信することで、管理サーバ１４０において、前記送信された会員メールに対する応答有りと判定されて、前記広告効果集計テーブルに当該ＵＲＬに対応する広告依頼者（クライアント）ＩＤに対応して記憶されている当該ＵＲＬが該当する詳細ページ２のアクセス数に１が加算更新される。尚、会員メール（１次電子メール）並びに２次電子メールに広告の詳細ページ３、詳細ページ４、詳細ページ５が挿入されている場合にも、詳細ページ１や詳細ページ２と同様にサイトサーバ１４から配信されるとともに、広告効果集計テーブルの該当するページのアクセス回数に１が加算される。
【００７１】
次いで、共通メールの場合には、カード管理会社に設置された管理サーバ１４０において、全ての遊技場の会員に対して通知したい内容が図１０に示す共通メール入力画面において入力される。
【００７２】
カード管理会社が全ての遊技場の会員に対して電子メールである会員メールを送信したい場合には、管理サーバ１４０の表示装置１４６に、図１０に示す共通メール入力画面を表示させ、当該共通メール入力画面の入力部に、送信したいメールの内容、例えば図１０に示すような最新ニュースを入力した後、画面下方の「送信」の選択入力部を選択入力する。
【００７３】
このようにして共通メール入力画面における共通メールの内容受付け並びに「送信」の選択入力による送信指示の受付けに基づいて、管理サーバ１４０は、遊技場別会員情報データベースに記憶されている全ての電子メールアドレスを、当該入力された内容を含む共通メールを送信する送信対象の電子メールアドレスとして特定する。
【００７４】
そして、該特定した各電子メールアドレスに対応して前記遊技場別会員情報データベースに記憶されている当該会員の会員属性情報と広告情報テーブルに記憶されている挿入対象属性とから、当該電子メールアドレスへ送信される共通メールに挿入される広告を決定し、該決定した広告と前記入力された共通メールの内容とを含む電子メールである共通メールを作成する。
【００７５】
そして、該作成された共通メールを前記にて挿入する広告の決定に使用した電子メールアドレスに対してサイトサーバ１４から送信するとともに、当該送信した共通メールに挿入された広告の広告依頼者（クライアント）ＩＤに対応する広告挿入回数に１を加算更新する。
【００７６】
このようにして全会員に送信される共通メールは、図１５に示すように、その内容としては、カード管理会社に設置された管理サーバ１４０にて入力された内容、例えば最新ニュース等の内容を含むとともに、例えば当該共通メールの受信者が会員メールの場合と同様に女性であれば、図１５（ａ）に示すように、広告情報テーブルの挿入対象属性として「女性」が記憶されている広告の広告データに記憶されている内容、具体的には、「今話題の新コスメ登場、この秋…」の内容が挿入されるとともに、２次電子メールを要求するための選択入力部となる「次メールへ」の選択入力部と、広告の概要ページへのリンクとなる「商品の概要はこちらへ」の選択入力部と、広告の詳細ページ１へのリンクとなる「２０代の方用の商品詳細はこちらへ」の選択入力部と、広告の詳細ページ２へのリンクとなる「３０代の方用の商品詳細はこちらへ」の選択入力部、並びに各年代の方用の商品詳細ページへのリンクが挿入されている。
【００７７】
この共通メールを受信した会員が、「次メールへ」の選択入力部を選択した場合には、２次電子メールを要求する旨の電子メールが当該共通メールの送信元となるサイトサーバ１４に送信されることで、当該２次電子メールの送信を要求する旨の電子メールの受信に基づいて、サイトサーバ１４から管理サーバ１４０に２次電子メール要求メールの受信通知が送信され、該２次電子メール要求メールの受信により該要求された２次電子メール内容を含む２次電子メールがサイトサーバ１４を介して返信されてくることにより、図１５（ｂ）に示すように、１次電子メールとなる共通メールにて広告された商品に関するより詳しい内容を、当該２次電子メールにて確認することができる。尚、この際、サイトサーバ１４は、該受信した２次電子メール要求メールに含まれる広告依頼者（クライアント）ＩＤを含む受信通知を管理サーバ１４０に送信することで、管理サーバ１４０において、送信された共通メールに対する応答有りと判定されて、前記広告効果集計テーブルに当該広告依頼者（クライアント）ＩＤに対応付けて記憶されている２次電子メールの送信回数に１が加算更新される。
【００７８】
尚、本実施例では、該２次電子メールにも１次電子メールである共通メールと同様に、広告の概要ページへのリンクとなる「商品の概要はこちらへ」の選択入力部と、広告の詳細ページ１へのリンクとなる「２０代の方用の商品詳細はこちらへ」の選択入力部と、広告の詳細ページ２へのリンクとなる「３０代の方用の商品詳細はこちらへ」の選択入力部、並びに各年代の方用の商品詳細ページへのリンクが挿入されている。
【００７９】
これら共通メール（１次電子メール）並びに２次電子メールに挿入された「商品の概要はこちらへ」の選択入力部を会員が選択入力した場合には、当該選択入力部にリンクされている概要ページへのＵＲＬリクエストがサイトサーバ１４に対して送信されることにより、サイトサーバ１４は、該受信したＵＲＬリクエストに対応する概要ページをＵＲＬリクエストの送信元に配信することで、図１５（ｃ）に示す商品概要ページが会員の情報端末である、例えば携帯電話１６に表示される。尚、この際、サイトサーバ１４は、該受信したＵＲＬリクエストにてアクセスされた概要ページのＵＲＬを含むアクセス情報を管理サーバ１４０に送信することで、管理サーバ１４０において、送信された共通メールに対する応答有りと判定されて、前記広告効果集計テーブルに当該ＵＲＬに対応する広告依頼者（クライアント）ＩＤに対応して記憶されている当該ＵＲＬが該当する概要ページのアクセス数に１が加算更新される。
【００８０】
また、これら共通メール（１次電子メール）並びに２次電子メールに挿入された広告の詳細ページ１へのリンクとなる「２０代の方用の商品詳細はこちらへ」の選択入力部を会員が選択入力した場合には、当該選択入力部にリンクされている詳細ページ１へのＵＲＬリクエストがサイトサーバ１４に対して送信されることにより、サイトサーバ１４は、該受信したＵＲＬリクエストに対応する詳細ページ１をＵＲＬリクエストの送信元に配信することで、図１５（ｄ）に示す商品詳細ページ１が会員の情報端末である、例えば携帯電話１６に表示される。尚、この際、サイトサーバ１４は、該受信したＵＲＬリクエストにてアクセスされた詳細ページ１のＵＲＬを含むアクセス情報を管理サーバ１４０に送信することで、管理サーバ１４０において、前記送信された共通メールに対する応答有りと判定され、前記広告効果集計テーブルに当該ＵＲＬに対応する広告依頼者（クライアント）ＩＤに対応して記憶されている当該ＵＲＬが該当する詳細ページ１のアクセス数に１が加算更新される。
【００８１】
また、これら共通メール（１次電子メール）並びに２次電子メールに挿入された広告の詳細ページ２へのリンクとなる「３０代の方用の商品詳細はこちらへ」の選択入力部を会員が選択入力した場合には、当該選択入力部にリンクされている詳細ページ２へのＵＲＬリクエストがサイトサーバ１４に対して送信されることにより、サイトサーバ１４は、該受信したＵＲＬリクエストに対応する詳細ページ２をＵＲＬリクエストの送信元に配信することで、図１５（ｅ）に示す商品詳細ページ２が会員の情報端末である、例えば携帯電話１６に表示される。尚、この際、サイトサーバ１４は、該受信したＵＲＬリクエストにてアクセスされた詳細ページ２のＵＲＬを含むアクセス情報を管理サーバ１４０に送信することで、管理サーバ１４０において、前記送信された共通メールに対する応答有りと判定され、前記広告効果集計テーブルに当該ＵＲＬに対応する広告依頼者（クライアント）ＩＤに対応して記憶されている当該ＵＲＬが該当する詳細ページ２のアクセス数に１が加算更新される。尚、共通メール（１次電子メール）並びに２次電子メールに広告の詳細ページ３、詳細ページ４、詳細ページ５が挿入されている場合にも、詳細ページ１や詳細ページ２と同様にサイトサーバ１４から配信されるとともに、広告効果集計テーブルの該当するページのアクセス回数に１が加算される。
【００８２】
このようにして広告効果集計テーブルにおいて集計された各広告依頼者の広告の広告挿入回数や、２次電子メール送信回数や、概要ページアクセス数や、詳細ページ１アクセス数や、詳細ページ２アクセス数、…の各集計結果を含む集計結果通知メールが、各広告依頼者（クライアント）が当該広告を広告受付けページにて依頼する際に指定した集計結果送信スケジュール、例えば１週間に１回の割合にて当該広告依頼者（クライアント）の広告依頼者（クライアント）ＩＤに対応付けて広告情報テーブルに記憶されている通知メール送信アドレスに対して送信されることで、当該広告依頼者（クライアント）のコンピュータ端末１７において、図１３に示すように、当該広告の設定内容とともに、広告効果集計テーブルにおいて集計された各集計結果が表示されるようになっている。
【００８３】
以上、前記実施例によれば、各店舗である遊技場に設置された店舗内管理装置である会員管理コンピュータ１２０から、当該店舗の会員に対して送信する電子メールの内容を含む電子メール送信要求が前記店舗別電子メール内容受付け手段となる電子メール送信要求受信処理にて受付けられる（受信される）ことにより、前記店舗別会員属性情報記憶手段となる遊技場別会員情報データベースに記憶されている当該店舗の会員の電子メールアドレスに対して、前記電子メールの内容と、当該電子メールを受信する会員の属性に対応する広告とを含む電子メールである会員メールが自動的に送信されるようになるため、これらメール受信者の属性に対応した広告が挿入された電子メール（会員メール）を送信する場合において、店舗側に非常に大きな労力が必要となってしまうことがなく、簡便にメール受信者である会員の属性に対応した広告が挿入された電子メール（会員メール）を送信することができ、結果的に、電子メールに広告を挿入して広告収入を得るビジネスにおける大きな障害を解消することができる。
【００８４】
また、前記実施例によれば、各店舗から当該店舗の会員への電子メールのみならず、全店舗の会員に対して、メール受信者である会員の属性に対応した広告が挿入された共通の電子メール（共通メール）を送信することができる。
【００８５】
また、前記実施例によれば、広告依頼者は、依頼した広告の送信状況（広告状況）を集計結果である広告挿入回数に基づいて把握することができる。
【００８６】
また、前記実施例によれば、広告依頼者は、依頼した広告の反響の度合いを応答回数となる、２次電子メールの配信回数や、概要ページアクセス数や、各詳細ページアクセス数に基づいて把握することができ、これら応答回数の情報を今後の広告の検討に資することができる。
【００８７】
また、本実施例においては実施していないが、店舗である遊技場が会員にメールを送信する場合に必要となる諸経費、例えば通信費や設備費等を、これら広告を会員メールに挿入することで、広告収入等により安価となるようにしたり、更には、広告の挿入回数や応答回数に応じて、メールの送信元である各店舗としての遊技場に、広告収入をカード管理会社から支給したり、カード利用料や手数料から減額したりするようにして、店舗側の手間の負担とともに費用的な負担の軽減或いは収益増加等をも実現できるようにしても良い。
【００８８】
以上、本発明の実施例を図面により説明してきたが、具体的な構成はこれら実施例に限られるものではなく、本発明の要旨を逸脱しない範囲における変更や追加があっても本発明に含まれる。
【００８９】
例えば、前記実施例では、管理サーバ１４０とサイトサーバ１４とを、セキュリティ性の向上の観点から個別に設けているが、本発明はこれに限定されるものではなく、これら管理サーバ１４０とサイトサーバ１４とを１つのサーバにて構成しても良い。
【００９０】
また、前記実施例では、サイトサーバ１４が電子メールの送受信機能を有するメールサーバとしても機能するようにしているが、本発明はこれに限定されるものではなく、これら電子メールの送受信機能を有するメールサーバを、サイトサーバ１４や管理サーバ１４０とは個別に設けるようにしても良い。
【００９１】
また、前記実施例では、広告メール送信装置となる管理サーバ１４０とサイトサーバ１４とを、カード管理会社に設置するようにしており、このようにすることは、カード管理会社と店舗となる各遊技場とは、既に通信回線１１等によりデータ通信可能に接続されていることから、これら広告が挿入される会員メールの送信のために、新たに通信回線を架設したりする必要がなく、現行のシステムの資産を活用することで、安価にて広告メール送信サービスを実施することができることから好ましいが、本発明はこれに限定されるものではなく、これら広告メール送信装置となる管理サーバ１４０とサイトサーバ１４とを、カード管理会社以外の機関、例えば、多くの会員を擁するガソリンスタンドや、デパートや、書店等の店舗を擁する会社の本社やデータセンタ等に設置しても良い。
【００９２】
また、前記実施例においては、応答を把握する内容として、２次電子メールの送信要求の受信や概要ページ或いは詳細ページのリクエスト（アクセス）に基づいて応答を把握するようにしているが、本発明はこれに限定されるものではなく、例えば、会員メールや共通メールに、特典を付与するアンケートへのＵＲＬを挿入しておき、会員からの当該アンケートのＵＲＬへのリクエスト（アクセス）があったら、応答有りと判定するようにしても良い。
【００９３】
また、前記実施例では、遊技場別会員情報データベースへの電子メールアドレスを含む会員属性情報と会員ＩＤの登録（記憶）を、各店舗である遊技場に設置された会員管理コンピュータ１２０から送信される会員登録情報の受信に基づいて、管理サーバ１４０が自動的に実施するようにしており、このようにすることは、これらの各遊技場の会員の属性や電子メールアドレスの会員属性情報や会員ＩＤ等を、カード管理会社側にて入力する手間を省くことができることから好ましいが、本発明はこれに限定されるものではなく、これら会員属性情報や会員ＩＤの登録（記憶）を、各遊技場から会員ＩＤや会員の属性や電子メールアドレスの会員属性情報が記載された登録用紙等をカード管理会社に送付することで、カード管理会社側にて実施するようにしても良い。
【００９４】
また、前記実施例では、ログインページにおいてパスワードによる照合を実施しているが、本発明はこれに限定されるものではなく、これらの照合を実施しないようにしても良い。
【００９５】
また、前記実施例では、会員メールを各遊技場の会員全てに送信するようにしているが、本発明はこれに限定されるものではなく、例えば送信する会員の属性や送信対象とする会員の条件を指定できるようにしておき、該指定した条件を満たす会員の電子メールを管理サーバ１４０にて抽出して送信先の電子メールアドレスとして特定するようにしても良い。
【００９６】
また、前記実施例では、店舗内管理装置を会員管理コンピュータ１２０としたが、本発明はこれに限定されるものではなく、これら店舗内管理装置を会員管理コンピュータ１２０とは個別に設けたり、或いはシステムコントローラ１００としても良い。
【００９７】
前記実施例における各要素は、本発明に対して以下のように対応している。
本発明の請求項１は、各店舗（遊技場）に設置されて当該店舗における会員に関する会員関連情報を管理する店舗内管理装置（会員管理コンピュータ１２０）から当該店舗の会員に対して送信する電子メール（会員メール）の内容と当該店舗を個々に識別可能な店舗識別情報（遊技場ＩＤ）とを受付けるための店舗別電子メール内容受付け手段（ＣＰＵ１４２；電子メール送信要求受信処理）と、前記店舗識別情報と当該店舗の各会員の電子メールアドレスとに対応付けて、当該会員に関する会員属性情報を店舗別に記憶するための店舗別会員属性情報記憶手段（記憶装置１４５；遊技場別会員情報データベース）と、広告依頼者から依頼された広告に関する広告情報（広告データ）と、当該広告が挿入される電子メールの受信者の属性に関する挿入条件（広告挿入対象者条件）とを対応付けて記憶するための広告情報記憶手段（記憶装置１４５；広告情報テーブル）と、前記店舗別会員属性情報記憶手段において、前記店舗別電子メール内容受付け手段にて受付けた店舗識別情報に対応付けて記憶されている各会員の電子メールアドレスを、前記店舗別電子メール内容受付け手段にて受付けた電子メールの内容を含む電子メールの送信先として特定する送信先アドレス特定手段（ＣＰＵ１４２；送信先アドレス特定処理）と、該送信先アドレス特定手段にて特定された電子メールアドレスに対して送信される電子メールに挿入される広告を、当該電子メールアドレスに対応付けて前記店舗別会員属性情報記憶手段に記憶されている会員属性情報と、前記広告情報記憶手段に記憶されている挿入条件（挿入対象属性）とから決定する挿入広告決定手段（ＣＰＵ１４２；挿入広告決定処理）と、該挿入広告決定手段にて決定された広告と前記店舗別電子メール内容受付け手段にて受付けた電子メールの内容とを含む電子メールを作成する電子メール作成手段（ＣＰＵ１４２；電子メール作成処理）と、該電子メール作成手段にて作成された電子メールを、前記挿入広告決定手段にて挿入される広告の決定に用いた電子メールアドレスに対して送信する電子メール送信手段（ＣＰＵ１４２；電子メール送信処理）と、を備える。
【００９８】
本発明の請求項２は、前記店舗別会員属性情報記憶手段（記憶装置１４５；遊技場別会員情報データベース）に記憶されている全ての電子メールアドレスに対して送信する電子メール（共通メール）の内容を受付けるための共通電子メール内容受付け手段（ＣＰＵ１４２；共通電子メール内容受付け処理）を備え、前記送信先アドレス特定手段（ＣＰＵ１４２；送信先アドレス特定処理）は、前記店舗別会員属性情報記憶手段に記憶されている全ての電子メールアドレスを、前記共通電子メール内容受付け手段にて受付けた電子メールの内容を含む電子メールの送信先として特定し、前記挿入広告決定手段（ＣＰＵ１４２；挿入広告決定処理）は、前記共通電子メール内容受付け手段にて受付けた電子メールの内容を含む電子メールに挿入される広告を、当該電子メールアドレスに対応付けて前記店舗別会員属性情報記憶手段に記憶されている会員属性情報と、前記広告情報記憶手段（記憶装置１４５；広告情報テーブル）に記憶されている挿入条件（挿入対象属性）とから決定し、前記電子メール作成手段（ＣＰＵ１４２；電子メール作成処理）は、前記挿入広告決定手段（ＣＰＵ１４２；挿入広告決定処理）にて決定された広告と前記共通電子メール内容受付け手段にて受付けた電子メールの内容とを含む電子メール（共通メール）を作成する。
【００９９】
本発明の請求項３は、前記電子メール作成手段（ＣＰＵ１４２；電子メール作成処理）において電子メールに挿入されることで前記電子メール送信手段（ＣＰＵ１４２；電子メール送信処理）から送信された広告の挿入回数を、各広告毎に集計するための広告回数集計手段（記憶装置１４５；広告効果集計テーブル）と、該広告回数集計手段にて集計された集計結果（集計結果通知メール）を、各広告の依頼者に対して送信する集計結果送信手段（ＣＰＵ１４２；集計結果送信処理）と、を備える。
【０１００】
本発明の請求項４は、前記電子メール送信手段（ＣＰＵ１４２；電子メール作成処理）にて送信された電子メールに含まれる広告に対する会員からの応答を受信する応答受信手段（ＣＰＵ１４２；応答受信処理）と、該応答受信手段により受信した会員からの応答に基づいて、前記電子メール送信手段にて送信された電子メールに含まれる広告に対する応答有りと判定する広告応答判定手段（ＣＰＵ１４２；広告応答判定処理）と、該広告応答判定手段にて応答有りと判定された応答回数（２次電子メール送信回数、概要ページアクセス数、詳細ページアクセス数）を、各広告毎に集計する応答回数集計手段（記憶装置１４５；広告効果集計テーブル）と、該応答回数集計手段にて集計された応答回数（集計結果通知メール）を、各広告の依頼者に対して送信する応答回数送信手段（ＣＰＵ１４２；集計結果送信処理）と、を備える。
【０１０１】
本発明の請求項５は、複数のコンピュータ端末をデータ通信可能に接続するためのオープンコンピュータネットワーク（インターネット）に接続された各店舗の会員の情報端末（ノートパソコン１５や携帯電話１６）に対して、店舗から各会員に対して広告を含む電子メール（会員メール）を、前記オープンコンピュータネットワークに接続されたサーバコンピュータ（管理サーバ１４０、サイトサーバ１４）を用いて送信するための広告メール配信サービスの提供方法であって、前記サーバコンピュータ（管理サーバ１４０、サイトサーバ１４）は、各店舗（遊技場）に設置されて当該店舗における会員に関する会員関連情報を管理する店舗内管理装置（会員管理コンピュータ１２０）から当該店舗の会員に対して送信する電子メール（会員メール）の内容と当該店舗を個々に識別可能な店舗識別情報（遊技場ＩＤ）とを受付けるための店舗別電子メール内容受付けステップ（ＣＰＵ１４２；電子メール送信要求受信処理）と、前記店舗識別情報と当該店舗の各会員の電子メールアドレスとに対応付けて、当該会員に関する会員属性情報を店舗別に記憶する店舗別会員属性情報記憶ステップ（ＣＰＵ１４２；店舗別会員属性情報記憶処理）と、広告依頼者から依頼された広告に関する広告情報（広告データ）と、当該広告が挿入される電子メールの受信者の属性に関する挿入条件（挿入対象属性）とを対応付けて記憶する広告情報記憶ステップ（ＣＰＵ１４２；広告情報記憶処理）と、前記店舗別会員属性情報記憶ステップにおいて、前記店舗別電子メール内容受付けステップにて受付けた店舗識別情報に対応付けて記憶された各会員の電子メールアドレスを、前記店舗別電子メール内容受付けステップにて受付けた電子メールの内容を含む電子メールの送信先として特定する送信先アドレス特定ステップ（ＣＰＵ１４２；送信先アドレス特定処理）と、該送信先アドレス特定ステップにて特定された電子メールアドレスに対して送信される電子メールに挿入される広告を、当該電子メールアドレスに対応付けて前記店舗別会員属性情報記憶ステップにおいて記憶された会員属性情報と、前記広告情報記憶ステップにて記憶された挿入条件とから決定する挿入広告決定ステップ（ＣＰＵ１４２；挿入広告決定処理）と、該挿入広告決定ステップにて決定された広告と前記店舗別電子メール内容受付けステップにて受付けた電子メールの内容とを含む電子メールを作成する電子メール作成ステップ（ＣＰＵ１４２；電子メール作成処理）と、該電子メール作成ステップにて作成された電子メールを、前記挿入広告決定ステップにて挿入される広告の決定に用いた電子メールアドレスに対して送信する電子メール送信ステップ（ＣＰＵ１４２；電子メール送信処理）と、を含む。
【０１０２】
本発明の請求項６は、前記店舗別会員属性情報記憶ステップ（ＣＰＵ１４２；店舗別会員属性情報記憶処理）にて記憶された全ての電子メールアドレスに対して送信する電子メール（共通メール）の内容を受付けるための共通電子メール内容受付けステップ（ＣＰＵ１４２；共通電子メール内容受付け処理）を含み、前記送信先アドレス特定ステップ（ＣＰＵ１４２；送信先アドレス特定処理）においては、前記店舗別会員属性情報記憶ステップにて記憶された全ての電子メールアドレスを、前記共通電子メール内容受付けステップにて受付けた電子メールの内容を含む電子メールの送信先として特定し、前記挿入広告決定ステップ（ＣＰＵ１４２；挿入広告決定処理）においては、前記共通電子メール内容受付けステップにて受付けた電子メールの内容を含む電子メールに挿入される広告を、当該電子メールアドレスに対応付けて前記店舗別会員属性情報記憶ステップ（ＣＰＵ１４２；店舗別会員属性情報記憶処理）にて記憶された会員属性情報と、前記広告情報記憶ステップ（ＣＰＵ１４２；広告情報記憶処理）にて記憶された挿入条件（挿入対象属性）とから決定し、前記電子メール作成ステップ（ＣＰＵ１４２；電子メール作成処理）においては、前記挿入広告決定ステップにて決定された広告と前記共通電子メール内容受付けステップにて受付けた電子メールの内容とを含む電子メールを作成する。
【０１０３】
本発明の請求項７は、前記電子メール作成ステップ（ＣＰＵ１４２；電子メール作成処理）において電子メールに挿入されることで前記電子メール送信ステップ（ＣＰＵ１４２；電子メール送信処理）にて送信された広告の挿入回数を、各広告毎に集計する広告回数集計ステップ（ＣＰＵ１４２；広告回数集計処理）と、該広告回数集計ステップにて集計された集計結果（集計結果通知メール）を、各広告の依頼者に対して送信する集計結果送信ステップ（ＣＰＵ１４２；集計結果送信処理）と、を含む。
【０１０４】
本発明の請求項８は、前記電子メール送信ステップ（ＣＰＵ１４２；電子メール送信処理）にて送信された電子メールに含まれる広告に対する会員からの応答を受信する応答受信ステップＣＰＵ１８２；応答受信処理）と、該応答受信ステップにおいて受信した会員からの応答に基づいて、前記電子メール送信ステップにて送信された電子メールに含まれる広告に対する応答有りと判定する広告応答判定ステップ（ＣＰＵ１４２；広告応答判定処理と、該広告応答判定ステップにて応答有りと判定された応答回数（２次電子メール送信回数、概要ページアクセス数、詳細ページアクセス数）を、各広告毎に集計する応答回数集計ステップ（ＣＰＵ１４２；応答回数集計処理）と、該応答回数集計ステップにて集計された応答回数（集計結果通知メール）を、各広告の依頼者に対して送信する応答回数送信ステップ（ＣＰＵ１４２；集計結果送信処理）と、を含む。
【図面の簡単な説明】
【０１０５】
【図１】本発明の実施例における広告メール送信装置が適用された遊技用システムの構成を示すシステム図である。
【図２】本発明の実施例における遊技用システムに用いた会員管理コンピュータの構成を示すブロック図である。
【図３】本発明の実施例の会員管理コンピュータにおける会員情報テーブルを示す図である。
【図４】本発明の実施例に用いた管理サーバとサイトサーバの構成を示す図である。
【図５】（ａ）は、本発明の実施例に用いた遊技場別会員情報データベースを示す図であり、（ｂ）は、本発明の実施例に用いた広告情報テーブルを示す図である。
【図６】本発明の実施例に用いた広告効果集計テーブルを示す図である。
【図７】本発明の実施例に用いた会員管理コンピュータにおける会員登録画面を示す図である。
【図８】本発明の実施例に用いた会員管理コンピュータにおける会員メール入力画面を示す図である。
【図９】本発明の実施例の遊技用システムを構成する会員管理コンピュータと管理サーバとの処理状況を示す図である。
【図１０】本発明の実施例に用いた管理サーバにおける共通メール入力画面を示す図である。
【図１１】本発明の実施例に用いたサイトサーバによる広告サービスサイトのログインページを示す図である。
【図１２】本発明の実施例に用いたサイトサーバによる広告サービスサイトの広告受付ページを示す図である。
【図１３】本発明の実施例に用いたサイトサーバから広告依頼者に送信される集計結果通知メールを示す図である。
【図１４】本発明の実施例に用いたサイトサーバから会員に送信される会員メール並びに２次電子メールや各広告リンクページを示す図である。
【図１５】本発明の実施例に用いたサイトサーバから会員に送信される共通メール並びに２次電子メールや各広告リンクページを示す図である。
【符号の説明】
【０１０６】
２        パチンコ機
３        カードユニット
４        中継端末
５        ルータ
１４      サイトサーバ
１５      ノートパソコン
１６      携帯電話
１７      コンピュータ端末
１００    システムコントローラ
１２０    会員管理コンピュータ
１２２    ＣＰＵ
１２４    記憶装置
１２５    入力装置
１２６    表示装置
１２８    通信部
１４０    管理サーバ
１４２    ＣＰＵ
１４５    記憶装置
１４８    ＤＳＵ
１４９    通信部
１８２    ＣＰＵ
１８８    第１通信部
１８９    第２通信部
【図１】
2005182450.tif 000003
【図２】
2005182450.tif 000004
【図３】
2005182450.tif 000005
【図４】
2005182450.tif 000006
【図５】
2005182450.tif 000007
【図６】
2005182450.tif 000008
【図７】
2005182450.tif 000009
【図８】
2005182450.tif 000010
【図９】
2005182450.tif 000011
【図１０】
2005182450.tif 000012
【図１１】
2005182450.tif 000013
【図１２】
2005182450.tif 000014
【図１３】
2005182450.tif 000015
【図１４】
2005182450.tif 000016
【図１５】
2005182450.tif 000017